(57)【要約】      （修正有）【課題】隅木の墨付けを簡単にする定規を提供する。【解決手段】２等辺直角３角定規に切り抜き穴が設けられた定規であって、２等辺直角３角定規の各辺の表裏、及び、切り抜き穴の縁の表裏に、平勾配目盛り、隅勾配目盛り、長玄勾配目盛り、中勾勾配目盛り、隅中勾勾配目盛り、欠勾の半裏目勾配の目盛り、短玄勾配の目盛り、小中勾勾配目盛りを付けた。【選択図】図１
0003211289.tif 000002
【実用新案登録請求の範囲】
【請求項１】
２等辺直角３角定規の各辺の表裏、及び、切り抜き穴の縁の表裏に、平勾配目盛り、隅勾配目盛り、長玄勾配目盛り、中勾勾配目盛り、隅中勾配目盛り、欠勾の半裏目勾配の目盛り、短玄勾配の目盛り、小中勾勾配の目盛り、を付けたことを特徴とする定規。
【考案の詳細な説明】
【技術分野】
【０００１】本考案は、木造建築の、寄棟屋根の隅木の墨付け定規の提供である。
【背景技術】
【０００２】従来より、隅木の墨付けは、差し金の使い方の規矩術を用いて、差し金によって墨付けをしていた。規矩術の理論は大変難しく正確な墨付けをするには高い技術が必要であった。
【考案の概要】
【考案が解決しようとする課題】
【０００３】隅木先端鼻先の切り墨には、立水、隅勾配に矩、投げ墨と、いろいろな切り墨があります。其のほか、隅木の山勾配の墨、広小舞の留め墨、鼻隠し板の留め墨、陸水墨、四方転びの柱の貫き穴の墨、これらの墨を差し金だけで引くには規矩術の勾股玄の理論を熟知した高い技術が必要であった。
【課題を解決するための手段】
【０００４】規矩術の勾股玄より各種の勾配、平勾配、隅勾配、長玄勾配、中勾配、隅中勾配、欠勾の半裏目勾配、短玄勾配、小中勾勾配、の目盛りを二等辺直角三角定規の各辺と、切り抜いた穴の縁に、設けた。
【考案の効果】
【０００５】本考案の墨付け定規を使用しての隅木墨付けは作業は、短時間に正確な墨付けを行う事が出来たた。
【図面の簡単な説明】
【０００６】
【図１】  本考案の平面図。
【図２】  本考案の背面図。
【図３】  本考案の側面図。
【図４】  本考案の平面図の説明図。
【図５】  本考案の背面図の説明図。
【図６】  本考案の側面図。
【図７】  隅勾配目盛りの使い方。
【図８】  長玄勾配目盛りの使い方。
【図９】  中勾勾配目盛りの使い方。
【図１０】  隅中勾配目盛りの使い方。
【図１１】  平勾配目盛りの使い方。
【図１２】  欠勾の半裏目勾配目盛りの使い方。
【図１３】  短玄勾配の目盛りの使い方。
【図１４】  小中勾勾配の目盛りの使い方。
【考案を実施するための形態】
【０００７】以下、本考案の実施の形態を図１〜図７に基づいて説明する。
【０００８】本考案の形態は、図１、図２、図３、に示す様に２等辺の直角３角定規であり、その各辺に勾股玄の理論に基づいた８つの勾配目盛りを設けた。
【０００９】図４、に基づき平面図の各辺の目盛りを説明する。
１  隅勾配。図４の辺ＡＢ上と辺ＡＣ上の目盛りは隅勾配の目盛りと長玄勾配の目盛りである。辺ＡＢ上のＨと辺ＡＣ上のＪの目盛りが長玄勾配の目盛りである。
辺ＡＣの長さを勾股玄の股として辺ＡＢ上に１〜１０の隅勾配目盛りをつけた。
辺ＡＣ上にも辺ＡＢ上の目盛りと同様の隅勾配の目盛りをつけた。
２  長玄勾配の目盛り。Ｊの目盛りは、辺ＡＢの長さを勾股玄の股として、辺ＡＣを勾として辺ＡＣ上に長玄勾配の目盛りを付けたものである。Ｈの目盛りは辺ＡＣの長さを勾股玄の股として、辺ＡＢを勾として辺ＡＢ上に長玄勾配の目盛りを付けたものである。
３  中勾勾配。辺ＢＣ間の目盛りは、ＢＣの中間点ＤとＡ点の長さを勾股玄の股として中勾配の目盛りをＤ点よりＤＢ上とＤＣ上につけたものである。
４  隅中勾勾配。辺ＢＣに平行な切り抜き穴Ｅを設けた。マドＥの縁ＦとＧの間の目盛りはＡＫを勾股玄の股としたときの隅中勾の目盛りをＫ点よりＫＦ上とＫＧ上に付けたものである。
【００１０】図５に基ずき裏面図の各辺の目盛りを説明する。
１  平勾配。辺ＡＢを勾股玄の股として辺ＡＣを勾として辺ＡＣ上に平勾配の目盛り１〜９の目盛りを付けた。同様の目盛りを辺ＡＢ上にも付けた。勾の一目盛りは股の十分の一の長さである。
２  欠勾の半裏目勾配。切り抜き穴Ｅの縁ＦＧ間の目盛りはＡＫを勾股玄の股としたときの欠勾の半裏目勾配の目盛りをＫ点よりＫＦ上とＫＧ上に付けたものである。
３  短玄勾配。ＡＤを勾股玄の股としたときの短玄の勾配の目盛りをＤ点よりＤＣ上とＤＢ上付けたものである。
４  小中勾勾配。ＡＬの長さを勾股玄の股としたときの小中勾勾配の目盛りをＬよりＭＮ上に付けたものである。
【実施例】
【００１１】図４の平面図の目盛りの使い方。
図７は、隅勾配の目盛りの使用法である。屋根勾配が５寸勾配のとき、図のように隅木の角線に定規のＣ点と辺ＡＢの隅勾配目盛りの５の目盛りを合わせて、辺ＡＢに沿って墨を引けばこれが立て水墨となり、辺ＡＣに沿って墨を引けばこれが陸水墨となる。
図８は、長玄勾配の目盛りの使用法である。屋根勾配が４寸勾配のとき、寄棟屋根の屋根先端部の広小舞の留め墨の引き方は、図のように広小舞材の角線に定規のＢ点と辺ＡＣの長玄勾配の目盛りの４の目盛りを合わせて辺ＡＣに沿って墨を引けばこれが屋根勾配が４寸勾配のときの広小舞の上場の留め墨となる。
図９は、中勾勾配の目盛りの使用法である。屋根勾配が４寸勾配のとき、図のように広小舞の上場の留め墨に合わせて向こう留めの墨を引くとき、図のように広小舞の角線に定規のＡ点と中勾勾配の目盛りの４の目盛りを合わせて辺ＢＣに沿って墨を引けば、これが向こう留めの墨となる。
図１０は、隅中勾勾配の目盛りの使用法である。図の様に隅木の木口に定規を当て墨を引けばこれが隅木の山勾配である。【００１２】図５の背面図の目盛りの使い方。
図１１は、平勾配の目盛りの使い方である。図の様に垂木の角線に定規のＢ点と辺ＡＣの４の目盛りを合わせて辺ＢＡに沿って墨を引けば、これが屋根勾配４寸のときの陸水墨となり、辺ＣＡに沿って墨を引けばこれが立て水墨となる。
図１２は、欠勾の半裏目勾配の目盛りの使い方である。図の様に隅木の角線に定規のＡ点と目盛りの４を合わせて辺ＣＢに沿って墨を引けばこれが屋根勾配が４寸勾配のときの隅木の投げ墨となる。
図１３は、短玄勾配目盛りの使い方である。四方転び脚立の柱の足元の貫の胴付き部分の墨の、貫の上場の勾配の墨を引くとき、図の様に定規を当て、辺ＢＣに沿って墨を引けばよい。
図１４は小中勾勾配の目盛りの使い方である。四方転び脚立の柱に、貫き穴の墨を引くときは図の様に定規を当て、辺ＢＣに沿って墨を引けばこれが貫き穴の上下の勾配の墨となる。
【符号の説明】
【００１３】Ａ    本考案の三角定規の頂点の直角部。
Ｂ    本考案の三角定規の頂点、平面図の左点。
Ｃ    本考案の三角定規の頂点、平面図の右点。
Ｄ    定規の辺ＢＣの中央点。
Ｅ    定規に切り抜いた穴。
ＦＧ  辺ＢＣに平行な、定規に切り抜いた穴の縁線
Ｈ    長玄勾配の目盛り。
Ｊ    長玄勾配の目盛り。
Ｋ    定規に切り抜いた穴の縁線ＧＦの中央点。
Ｌ    定規に切り抜いた穴の縁線ＭＮの中央点。
ＭＮ  定規に切り抜いた穴の縁線。
【図１】
0003211289.tif 000003
【図２】
0003211289.tif 000004
【図３】
0003211289.tif 000005
【図４】
0003211289.tif 000006
【図５】
0003211289.tif 000007
【図６】
0003211289.tif 000008
【図７】
0003211289.tif 000009
【図８】
0003211289.tif 000010
【図９】
0003211289.tif 000011
【図１０】
0003211289.tif 000012
【図１１】
0003211289.tif 000013
【図１２】
0003211289.tif 000014
【図１３】
0003211289.tif 000015
【図１４】
0003211289.tif 000016
【手続補正書】
【提出日】平成29年4月14日(2017.4.14)
【手続補正１】
【補正対象書類名】実用新案登録請求の範囲
【補正対象項目名】請求項１
【補正方法】変更
【補正の内容】
【請求項１】
２等辺直角３角定規に切り抜き穴が設けられた定規であって、２等辺直角３角定規の各辺の表裏、及び、切り抜き穴の縁の表裏に、平勾配目盛り、隅勾配目盛り、長玄勾配目盛り、中勾勾配目盛り、隅中勾勾配目盛り、欠勾の半裏目勾配の目盛り、短玄勾配の目盛り、小中勾勾配の目盛り、を付けたこを特徴とする定規。